(57)【特許請求の範囲】
【請求項１】
電源と自動点滅器と外灯機器からなる回路の不点原因箇所を探査する外灯不点探査装置であって、
操作部と接続端子を備えており、接続端子は、電源と自動点滅器と外灯機器をつなぐケーブルのうち、電源と自動点滅器をつなぐ自動点滅器一次側箇所と、電源と外灯機器をつなぐ箇所と、自動点滅器と外灯機器をつなぐ自動点滅器二次側箇所にそれぞれ接続するものであり、各接続端子は、ケーブルを把持して離脱不能で自立するとともに、把持と同時に被覆を貫通して芯線と電気的接触をする針を有しており、
操作部は、各接続端子を接続したままの状態で、自動点滅器一次側の電圧の測定と、自動点滅器二次側の電圧の測定、及び自動点滅器を迂回して電源と外灯機器を直接つなぐ状態のいずれかに切替できることを特徴とする外灯不点探査装置。
【請求項２】
電源と自動点滅器と外灯機器からなる回路の不点原因箇所を探査する外灯不点探査装置を使用し、
外灯不点探査装置は、三つの接続端子と、操作部とを備えており、第一の接続端子は、電源と自動点滅器と外灯機器をつなぐケーブルのうち、電源と自動点滅器をつなぐ自動点滅器一次側箇所の被覆を針で貫通して芯線と電気的接触をさせて接続し、第二の接続端子は、電源と外灯機器をつなぐ箇所の被覆を針で貫通して芯線と電気的接触をさせて接続し、第三の接続端子は、自動点滅器と外灯機器をつなぐ自動点滅器二次側箇所の被覆を針で貫通して芯線と電気的接触をさせて接続し、操作部では第一〜第三の各接続端子を接続したままの状態で、自動点滅器一次側の電圧の測定と、自動点滅器二次側の電圧の測定と、自動点滅器を迂回して電源と外灯機器を直接つなぐ状態のいずれかに切替できることを特徴とする外灯不点探査方法。
【発明の詳細な説明】
【技術分野】
【０００１】
本発明は、外灯機器が切れたときの不点原因箇所の探査に使用する不点探査装置及び不点探査方法に関するものである。
【背景技術】
【０００２】
電柱に設置される外灯機器は、自動点滅器が日照状況を感知して外灯を点灯させるものであった。
【先行技術文献】
【特許文献】
【０００３】
【特許文献１】特開平８−１０２３７３号公報
【発明の開示】
【発明が解決しようとする課題】
【０００４】
外灯を備える電柱の設置数の膨大さから、外灯が切れる事象は日々報告されており、その原因としては外灯機器の光源切れや、自動点滅器の故障が大部分を占めるものであった。このときに、事業者が高所作業車などで外灯のある場所までのぼり、図６のように、自動点滅器の採光部をカバーで覆い、遮光すること（図中のｃ１）により、外灯の点灯の有無を調べ、点灯しない場合には、テスター等の電圧測定器を使用し、接続端子を回路中の電源と自動点滅器の間の自動点滅器一次側箇所にあるケーブルに接続（図中のｃ２）し、そこで電圧が検知された場合には、回路中の自動点滅器と外灯機器の間の自動点滅器二次側箇所に接続端子を接続し直して再度電圧の有無を調べ（図中のｃ３）、電圧が検知されなければ、電源と外灯を直接接続（図中のｃ４）することにより、外灯の不点原因を探す手法がとられていた。また、電圧測定器の接続端子を回路中のケーブルに接続するときには、測定箇所のケーブルの被覆を削ぎ、露出した芯線に接続端子を接続して電圧を測定する。しかしながら、外灯の不点原因を発見するには、上記の作業を繰り返して探査しなければならず、さらに、両手で接続端子を接触させながら電圧測定器の表示メーターを確認することから、作業姿勢が大変不安定なものとなる。さらに、接続時のケーブルの被覆を削ぎ落した測定箇所は、短絡事故を防ぐために絶縁処理を施す必要があることから、その復元作業に手間がかかり、探査に要するコストも増加するものであった。
本発明は、上記課題を鑑みてなされたものであり、作業手間がかからず効率的に外灯の不点原因箇所を発見できる外灯不点探査装置及び不点探査方法を提供することにある。
【課題を解決するための手段】
【０００５】
本発明のうち請求項１記載の発明は、電源と自動点滅器と外灯機器からなる回路の不点原因箇所を探査する外灯不点探査装置であって、操作部と接続端子を備えており、接続端子は、電源と自動点滅器と外灯機器をつなぐケーブルのうち、電源と自動点滅器をつなぐ自動点滅器一次側箇所と、電源と外灯機器をつなぐ箇所と、自動点滅器と外灯機器をつなぐ自動点滅器二次側箇所にそれぞれ接続するものであり、各接続端子は、ケーブルを把持して離脱不能で自立するとともに、把持と同時に被覆を貫通して芯線と電気的接触をする針を有しており、操作部は、各接続端子を接続したままの状態で、自動点滅器一次側の電圧の測定と、自動点滅器二次側の電圧の測定、及び自動点滅器を迂回して電源と外灯機器を直接つなぐ状態のいずれかに切替できることを特徴とする。
【０００６】
本発明のうち請求項２記載の発明は、電源と自動点滅器と外灯機器からなる回路の不点原因箇所を探査する外灯不点探査装置を使用し、外灯不点探査装置は、三つの接続端子と、操作部とを備えており、第一の接続端子は、電源と自動点滅器と外灯機器をつなぐケーブルのうち、電源と自動点滅器をつなぐ自動点滅器一次側箇所の被覆を針で貫通して芯線と電気的接触をさせて接続し、第二の接続端子は、電源と外灯機器をつなぐ箇所の被覆を針で貫通して芯線と電気的接触をさせて接続し、第三の接続端子は、自動点滅器と外灯機器をつなぐ自動点滅器二次側箇所の被覆を針で貫通して芯線と電気的接触をさせて接続し、操作部では第一〜第三の各接続端子を接続したままの状態で、自動点滅器一次側の電圧の測定と、自動点滅器二次側の電圧の測定と、自動点滅器を迂回して電源と外灯機器を直接つなぐ状態のいずれかに切替できることを特徴とする。
【発明の効果】
【０００８】
本発明のうち請求項１及び２記載の発明によれば、回路から接続端子を外すことなく、操作部での測定箇所の切り替えにより、電源側、自動点滅器側、外灯側のいずれかに異常があることが即座に判明するので、不点探査作業の効率化が図れることになる。さらに、接続端子が回路の被覆を大きく欠損させずに貫くとともに、その位置で自立することにより、回路をつなぐケーブルの被覆を削ぐ作業がなくなり補修が不要となり、さらに、接続端子が回路のケーブル被覆を挟んで自立することにより、ケーブルから離脱しにくい構造となって不点探査作業の効率化をより一層向上できる。
【図面の簡単な説明】
【００１０】
【図１】本実施による外灯不点探査装置の使用状態、及び外灯不点探査装置を使用する回路を示す簡略化した説明図である。
【図２】本実施による外灯不点探査装置の平面図である。
【図３】（ａ）〜（ｄ）は、外灯不点探査装置の接続端子と、その接続端子の接続手順を示す図である。
【図４】自動点滅器一次側及び二次側それぞれの電圧測定における外灯不点探査装置の使用状態を示す簡略化した平面図である。
【図５】同じく、電源と外灯を直結するときの外灯不点探査装置の使用状態を示す平面図である。
【図６】従来の外灯不点原因の探査手順を示すフローチャート図である。
【発明を実施するための最良の形態】
【００１１】
以下、本発明の外灯不点探査装置の実施形態を図面に基づいて説明する。
本実施による外灯不点探査装置は、図２のように、操作部１と、操作部１から有線で接続される三つの接続端子（第一〜第三接続端子とする）２ａ〜２ｃとからなっている。操作部１は、本体カバー３と、表示メーター４と、切替スイッチ５と、直結スイッチ６とからなっている。表示メーター４は、本体カバー３の正面側に配置してあり、第一〜第三接続端子２ａ〜２ｃに接続した状態で、切替スイッチ５を切り替えたときに、内蔵する交流電圧計の針が振れて２５０Ｖまでの電圧値を表示する。
【００１２】
切替スイッチ５は、図２を参照すれば、本体カバー３の表示メーター４の下部に設けてあり、ツマミ付きのダイヤル５ａを有し、ダイヤル５ａは、図４及び図５のように、左回し方向、中央、右まわし方向の三段階に切り替えできるとともに、各切替位置は、本実施形態の場合、左回し方向に切り替えれば、第一接続端子２ａと第二接続端子２ｂ間（自動点滅器一次側）の電圧を測定することに設定し、右回し方向に切り替えれば第二接続端子２ｂと第三接続端子２ｃ間（自動点滅器二次側）の電圧を測定することに設定し、切替スイッチ５のダイヤル５ａを中央に位置させたときは、電圧の測定をＯＦＦにするものである。直結スイッチ６は本体カバー３の切替スイッチ５の近傍に配置してあり、図１と図２を参照すれば、電源７と外灯機器９を直結している第一接続端子２ａと第三接続端子２ｃ間の電気的接続を行う。また、直結スイッチ６は、ボタン式になっており、その直結スイッチ６を押している間のみ、電気的接続を行うものである。また、本実施による外灯不点探査装置には、上部にロープ１０が取り付けてあり、ロープ１０は、輪を作って結びつけてあり、その輪を電柱の足場１１等に引っ掛けておくことができる。
【００１３】
第一〜第三接続端子２ａ〜２ｃは、図２と図３（ａ）〜（ｄ）のように、操作部１に取り付けてあり、本実施では、第一〜第三接続端子２ａ〜２ｃは、黒、白、赤とそれぞれ色が異なっている。また、第一〜第三接続端子２ａ〜２ｃの構造は、大きく分けて回路１２中のケーブル１２ａの被覆を把持する把持部１３と、操作部１から延長するコード１５のプローブ１５ａに接続する被接続部１４とからなっている。このうちの前記把持部１３は、図２と図３（ａ）〜（ｄ）のように、筒体１４ａと、筒体１４ａ内を進退自在に挿通する棒状をなす通電材１６と、通電材１６の長手方向の一端側に設けてあるケーブル押さえ部１８と、通電材１６の長手方向の他端側に設けてある押圧部１９とからなっており、筒体１４ａの長手方向一端部には、ケーブル被押え部２０が設けてある。通電材１６は、筒体１４ａ内に収容されている付勢部材２１の付勢力によって常に押圧部１９側に付勢されており、図３（ｂ）のように、押圧部１９を付勢部材２１の付勢力に逆らって押したときに、通電材１６が先端側に押し出されて同時にケーブル押さえ部１８も先端側に突出する。また、通電材１６の一端部は筒体側に屈曲しており、その先端部には針２２を有している。ケーブル押さえ部１８は、通電材１６の長手方向一端側に僅かに移動可能な状態で取り付けてあり、ケーブル押さえ部１８とケーブル被押さえ部２０との間にケーブル１２ａを把持したときに、ケーブル押さえ部１８が押圧部１９側に移動するとともに、通電材１６の針２２がケーブル押さえ部１８から突出し、その針２２がケーブル１２ａの被覆を貫通して芯線２３に到達する。
【００１４】
上記の外灯不点探査装置は、下記に説明する回路に使用される。
回路１２は、図１のように、電源７と自動点滅器８間、電源７と外灯機器９間及び自動点滅器８と外灯機器９間をそれぞれつないでおり、自動点滅器８が外部の暗さを感知してＯＮとすることにより、電源７から外灯機器９が通電して外灯機器９が点灯する。
【００１５】
本実施による外灯不点探査装置を上記の回路１２に接続するときには、外灯不点探査装置の黒色の第一接続端子２ａを電源７と自動点滅器８をつなぐ自動点滅器一次側箇所Ｘに接続し、電源７と外灯機器９をつなぐ箇所Ｙに白色の第二接続端子２ｂを接続し、赤色の第三接続端子２ｃを自動点滅器８と外灯機器９をつなぐ自動点滅器二次側箇所Ｚに接続する。そして、上記のように第一〜第三の各接続端子２ａ〜２ｃを接続した外灯不点探査装置を使用して不点箇所を探査するときは、自動点滅器の採光部をカバーで遮光した状態で、図４（ａ）のように、外灯不点探査装置の切替スイッチ５を「黒白」に切り替えることで、黒色の第一接続端子２ａと白色の第二接続端子２ｂ間（自動点滅器一次側）の電圧が測定され、電圧が検知されなければ電源７側に不点原因があることが判明し、また、電圧が検知されれば自動点滅器８または外灯機器９のいずれかに不点原因があることが判明する。次に、図４（ｂ）のように、外灯不点探査装置の切替スイッチ５を「赤白」に切り替えることで、白色の第二接続端子２ｂと赤色の第三接続端子２ｃ間（自動点滅器二次側）の電圧が測定され、電圧が検知されるときには外灯機器９側に不点原因があることが判明し、電圧が検知されないときには、自動点滅器８または自動点滅器８と外灯機器９の両方に不点原因があることが判定される。最後に、自動点滅器の採光部を覆っているカバーを外して図５のように、直結スイッチ６を押すことで、外灯機器９が点灯したときには、自動点滅器８が不点原因であり、点灯しないときには自動点滅器８と外灯機器９の両方に不点原因があることが判定される。
【００１６】
本発明の外灯不点探査装置は、特許請求の範囲に記載する範囲内で上記実施形態のものから変更することもできる。上記実施形態では、切替スイッチ５を自動点滅器一次側と自動点滅器二次側の二方向に切り替えを可能とし、電源７と外灯機器９を直結する直結スイッチ６を有する構造としたが、切替スイッチ５を電源７と外灯機器９の直結を含む三方向の切り替えを可能とする構造としてもよい。また、直結スイッチ６はボタン式としたが、例えば左右に倒すことでＯＮ、ＯＦＦの切り替えを行うスイッチでもよい。第一〜第三接続端子２ａ〜２ｃは、外灯不点探査装置の本体カバー３から延長するケーブル１２ａに着脱自在に取り付けてあるが、着脱しないものでもよい。さらに、本実施での探査手順を自動点滅器一次側の電圧測定、自動点滅器二次側の電圧測定、電源７と外灯機器９間の直結の順で行ったが、いずれの箇所から始めてもよい。
【符号の説明】
【００１７】
１  操作部
２ａ  第一接続端子（接続端子）
２ｂ  第二接続端子（接続端子）
２ｃ  第三接続端子（接続端子）
７  電源
８  自動点滅器
９  外灯機器
１２  回路
１２ａ  ケーブル
２２  針
２３  芯線    
Ｘ  電源と自動点滅器をつなぐ自動点滅器一次側箇所
Ｙ  電源と外灯機器をつなぐ箇所
Ｚ  自動点滅器と外灯機器をつなぐ自動点滅器二次側箇所
【図１】
0005965646.tif 000002
【図２】
0005965646.tif 000003
【図３】
0005965646.tif 000004
【図４】
0005965646.tif 000005
【図５】
0005965646.tif 000006
【図６】
0005965646.tif 000007